(57)【要約】【課題】建築物ユニット間の往来が容易で、外観の優れた集合建築物を低コストで提供することを課題とする。【解決手段】平面視多角形の建築物ユニット２を複数組み合わせてなる集合建築物１であって、各々の建築物ユニット２は、少なくとも一側面に庇状に張り出す張出部３を備え、複数の建築物ユニット２は、一地点Ｐを取り囲むように配置され、各々の建築物ユニット２の各張出部３の張出方向が一地点Ｐを中心として見て同一の回転方向をそれぞれ向くように、建築物ユニット２の張出部３が、隣り合う建築物ユニット２に向かって張り出しており、各々の建築物ユニット２の各張出部３の下方にそれぞれ構成される通路が一体的に繋がっていることを特徴とする。【選択図】図１
2010043443.tif 000002
【特許請求の範囲】
【請求項１】
平面視多角形の建築物ユニットを複数組み合わせてなる集合建築物であって、
各々の前記建築物ユニットは、少なくとも一側面に庇状に張り出す張出部を備え、
複数の前記建築物ユニットは、一地点を取り囲むように配置され、
各々の前記建築物ユニットの各張出部の張出方向が前記一地点を中心として見て同一の回転方向をそれぞれ向くように、前記建築物ユニットの前記張出部が、隣り合う前記建築物ユニットに向かって張り出しており、
各々の前記建築物ユニットの各張出部の下方にそれぞれ構成される通路が一体的に繋がっている
ことを特徴とする集合建築物。
【請求項２】
前記建築物ユニットの棟数が、４棟である
ことを特徴とする請求項１に記載の集合建築物。
【請求項３】
前記張出部は、平面視矩形に形成され、
隣り合う前記建築物ユニットの一方の前記張出部の張出方向と他方の前記張出部の張出方向とが直角に交差する
ことを特徴とする請求項１または請求項２に記載の集合建築物。
【請求項４】
隣り合う前記建築物ユニットの一方の前記張出部の先端面が他方の前記張出部の側面およびこの側面と同じ側のユニット側面に近接する
ことを特徴とする請求項３に記載の集合建築物。
【請求項５】
前記他方の前記張出部の先端を含む鉛直平面が、前記一方の前記建築物ユニットのユニット側面と同一平面上に位置するか、または前記一方の前記建築物ユニットのユニット正面と交差する
ことを特徴とする請求項４に記載の集合建築物。
【請求項６】
前記張出部の先端に雨樋を設けた
ことを特徴とする請求項１乃至請求項５のいずれか１項に記載の集合建築物。
【請求項７】
前記建築物ユニットの壁面および屋根面は、複数の壁構成材と屋根構成材をその幅方向に連接して壁面および屋根面が構成されている
ことを特徴とする請求項１乃至請求項６のいずれか１項に記載の集合建築物。
【請求項８】
前記建築物ユニットの張出部は、前記屋根構成材を前記張出方向に延出して前記屋根面と一体に形成されている
ことを特徴とする請求項７に記載の集合建築物。
【請求項９】
前記壁構成材および屋根構成材は、アルミニウムまたはアルミニウム合金製の押出形材によって構成されている
ことを特徴とする請求項７または請求項８に記載の集合建築物。
【発明の詳細な説明】
【技術分野】
【０００１】
本発明は、平面視多角形の建築物ユニットを複数組み合わせてなる集合建築物に関する。
【背景技術】
【０００２】
建築物の形態として、小規模の建築物ユニットを複数近接設置して組み合わせる、いわゆる分棟形態が知られている。この形態は、各建築物ユニットの独立性を高め、それらの役割を明確にし、且つ全体として一つの建築物として利用できるといった利点がある。
【０００３】
しかし、このような分棟形態では、互いの建築物ユニットは近接しているとはいえ、各建築物ユニット間を往来する際には外部に出る必要があるので、風雨に対する対策が必要であった。そのため、前記の課題を解決するために、建築物ユニット間に屋根を設け、その屋根の下方を通路とする技術があった（例えば、特許文献１，２参照）。
【特許文献１】特開２０００−１７７３３号公報
【特許文献２】特開２００５−２３２６８８号公報
【発明の開示】
【発明が解決しようとする課題】
【０００４】
しかしながら、前記の特許文献１，２の技術では、建築物ユニットとは別に新規の屋根を設置する必要があるため、建築コストが嵩むとともに、外観の一体性を損なうといった問題があった。特に、外観の問題は、複数の建築物ユニットで全体としてのデザインの統一感を表している分棟形態の建築物においては大きな問題となっていた。
【０００５】
そこで、本発明は、前記問題に鑑みてなされたものであり、建築物ユニット間の往来が容易で、外観の優れた集合建築物を低コストで提供することを課題とする。
【課題を解決するための手段】
【０００６】
このような課題を解決するために、請求項１の発明は、平面視多角形の建築物ユニットを複数組み合わせてなる集合建築物であって、各々の前記建築物ユニットは、少なくとも一側面に庇状に張り出す張出部を備え、複数の前記建築物ユニットは、一地点を取り囲むように配置され、各々の前記建築物ユニットの各張出部の張出方向が前記一地点を中心として見て同一の回転方向をそれぞれ向くように、前記建築物ユニットの前記張出部が、隣り合う前記建築物ユニットに向かって張り出しており、各々の前記建築物ユニットの各張出部の下方にそれぞれ構成される通路が一体的に繋がっていることを特徴とする集合建築物である。
【０００７】
このような構成によれば、庇状の張出部を利用して通路を形成しているので、別途に屋根を設けなくてよく、その結果、建築コストを抑えることができる。また、建築物ユニットに一体で形成されている張出部が通路の屋根を構成するので、外観の一体性を損なうことがなく、複数の建築物ユニットで全体としてのデザインの統一感を表すことができる。そして、張出部の下方に各建築物ユニットを繋ぐ一体的な通路が形成されるので、風雨時であっても建築物ユニット間の往来が容易になる。
【０００８】
請求項２に係る発明は、前記建築物ユニットの棟数が、４棟であることを特徴とする請求項１に記載の集合建築物である。
【０００９】
このような構成によれば、各建築物ユニットの配置を行いやすくなる。
【００１０】
請求項３に係る発明は、前記張出部が平面視矩形に形成され、隣り合う前記建築物ユニットの一方の前記張出部の張出方向と他方の前記張出部の張出方向とが直角に交差することを特徴とする請求項１または請求項２に記載の集合建築物である。
【００１１】
このような構成によれば、張出部を矩形とし、さらに、張出部の一方の張出方向と他方の張出部の張出方向とが直角に交差するようにしたことで、張出部と隣接する建築物ユニットとのクリアランスを一定にすることができる。
【００１２】
請求項４に係る発明は、隣り合う前記建築物ユニットの一方の前記張出部の先端面が他方の前記張出部の側面およびこの側面と同じ側のユニット側面に近接することを特徴とする請求項３に記載の集合建築物である。
【００１３】
このような構成によれば、全ての建築物ユニットを繋ぐ通路が形成されるので、風雨時における建築物ユニット間の往来がさらに容易になる。
【００１４】
請求項５に係る発明は、前記他方の前記張出部の先端を含む鉛直平面が、前記一方の前記建築物ユニットのユニット側面と同一平面上に位置するか、または前記一方の前記建築物ユニットのユニット正面と交差することを特徴とする請求項４に記載の集合建築物である。
【００１５】
このような構成によれば、他方の建築物ユニットを、一方の建築物ユニットと反対側から見たときに、張出部の下方の通路の奥に一方の建築物ユニットの壁面が見えることになるので、見る者に、複数の建築物ユニットがあたかも一つの建築物であるような印象を与え、外観の一体性を大幅に高めることができ、複数の建築物ユニットで全体としてのデザインの統一感が増す。
【００１６】
請求項６に係る発明は、前記張出部の先端に雨樋を設けたことを特徴とする請求項１乃至請求項５のいずれか１項に記載の集合建築物である。
【００１７】
このような構成によれば、通路に雨が降り注ぐのを効率的に防止でき、その結果、通路が濡れるのも防止できる。
【００１８】
請求項７に係る発明は、前記建築物ユニットの壁面および屋根面は、複数の壁構成材と屋根構成材をその幅方向に連接して壁面および屋根面が構成されていることを特徴とする請求項１乃至請求項６のいずれか１項に記載の集合建築物である。
【００１９】
このような構成によれば、壁構成材と屋根構成材がその幅方向に隙間なく並べられているので、壁構成材と屋根構成材が外装材を兼ねることができる。なお、壁構成材と屋根構成材の外側に別途外装材を取り付けてもよい。
【００２０】
請求項８に係る発明は、前記建築物ユニットの張出部が、前記屋根構成材を前記張出方向に延出して前記屋根面と一体に形成されていることを特徴とする請求項７に記載の集合建築物である。
【００２１】
このような構成によれば、張出部の強度を高めることができるとともに、張出部を別途に形成するよりも施工が容易になる。さらに、建築物ユニット毎の外観の一体性を大幅に高めることができる。
【００２２】
請求項９に係る発明は、前記壁構成材および屋根構成材が、アルミニウムまたはアルミニウム合金製の押出形材によって構成されていることを特徴とする請求項７または請求項８に記載の集合建築物である。
【００２３】
このような構成によれば、壁構成材および屋根構成材は、押出形材を適宜な長さ・角度で切断するだけで製造することができるので、加工生産が容易である。さらに、アルミニウムまたはアルミニウム合金製の押出形材は、寸法精度が高く、また、剛性の割に軽いので、現場での取り回しが容易になる。
【発明の効果】
【００２４】
本発明によれば、優れた外観デザインを採用することができるとともに、建築物ユニット間の往来が容易となり、さらに建築コストを低く抑えることができるといった優れた効果を発揮する。
【発明を実施するための最良の形態】
【００２５】
以下、本発明の実施の形態を、添付した図面を参照しつつ詳細に説明する。なお、本実施形態では、４棟の建築物ユニットを組み合わせて集合建築物を構成した場合を例に挙げて説明する。
【００２６】
図１および図２に示すように、かかる集合建築物１は、平面視多角形の建築物ユニット２を複数組み合わせてなるものである。各建築物ユニット２は、少なくとも一側面に庇状に張り出す張出部３を備えている。複数の建築物ユニット２，２・・は、ある一地点Ｐを取り囲むように配置されている。また、各建築物ユニット２の張出部３が一地点Ｐ側をそれぞれ向くように配置されている。複数の建築物ユニット２，２・・は、種々の目的の居室を有する比較的小型のユニットにて構成されている。本実施形態に係る集合建築物１は、例えば、工場の入口部分に受付等の用途として用いるために構築されている。各建築物ユニット２は、例えば、守衛室棟、待合室棟、更衣室棟および待機室棟として利用されている。以下、建築物ユニット２ごとに、一地点Ｐ側に張り出した張出部３がある側を正面、その裏側を裏面とし、正面側から見て左側を左側面、右側を右側面とする。
【００２７】
（建築物ユニットの配置）
図１に示すように、守衛室棟を構成する建築物ユニット２（以下、「建築物ユニット２ａ」と称する場合がある）は、平面視長方形を呈しており、裏面に受付用の窓４ａが形成されている。また、建築物ユニット２ａの左右両側面には、扉５ａ，５ａがそれぞれ形成されている。建築物ユニット２ａの正面には、窓４ａと直交する方向に延出して一地点Ｐ側に張り出す庇状の張出部３ａが形成されている。各張出部３ａは、平面視矩形（本実施形態では長方形）を呈しており、建築物ユニット２ａの正面の幅と同じ幅を有している。この張出部３ａは、通路６ａの屋根を構成するものであって、９００ｍｍ程度の張出寸法を有している。すなわち、張出部３ａの下方の空間は、通路６ａとして利用される。通路６ａは、その一部が建築物ユニット２ａと後述する建築物ユニット２ｄとで囲まれて区画されている。なお、建築物ユニット２ａの裏面には、受付の屋根を構成する張出部３’ａが形成されている。この張出部３’ａは、１８００ｍｍ程度の張出寸法を有している。
【００２８】
待合室棟を構成する建築物ユニット２（以下、「建築物ユニット２ｂ」と称する場合がある）は、平面視長方形を呈しており、守衛室棟を構成する建築物ユニット２ａの正面から見た左側方に隣り合うように、所定の間隔をあけて対向配置されている。建築物ユニット２ｂの右側面と左側面には、窓４ｂ，４ｂと扉５ｂ，５ｂがそれぞれ形成されている。建築物ユニット２ｂの正面には、一地点Ｐおよび建築物ユニット２ａに向かって延出して張り出す庇状の張出部３ｂが形成されている。すなわち、互いに隣り合う建築物ユニット２ａの張出部３ａの張出方向Ｄａと建築物ユニット２ｂの張出部３ｂの張出方向Ｄｂとが直角に交差している。張出部３ｂは、平面視矩形（本実施形態では長方形）を呈しており、建築物ユニット２ｂの正面の幅と同じ幅を有している。そして、建築物ユニット２ｂの張出部３ｂの先端面が、建築物ユニット２ａの張出部３ａの左側面（請求項４における「張出部の側面」）および建築物ユニット２ａの壁の左側面（請求項４における「張出部の側面と同じ側のユニット側面」）に近接している。また、建築物ユニット２ａの張出部３ａの先端を含む鉛直平面が、建築物ユニット２ｂの左側面（請求項５における「建築物ユニットのユニット側面」）と同一面上に位置するようになっている。
【００２９】
張出部３ｂの下方の空間は、通路６ｂとして利用される。通路６ｂは、その一部が建築物ユニット２ａと建築物ユニット２ｂとで囲まれて区画されている。張出部３ｂは、通路６ｂの屋根を構成するものであって、１８００ｍｍ程度の張出寸法を有している。
【００３０】
更衣室棟を構成する建築物ユニット２（以下、「建築物ユニット２ｃ」と称する場合がある）は、平面視長方形を呈しており、待合室棟を構成する建築物ユニット２ｂの正面から見た左側方に隣り合うように、所定の間隔をあけて対向配置されている。建築物ユニット２ｃの正面と左側面には、扉５ｃ，５ｃ・・がそれぞれ形成されている。建築物ユニット２ｃの正面には、一地点Ｐおよび建築物ユニット２ｂに向かって延出して張り出す庇状の張出部３ｃが形成されている。すなわち、互いに隣り合う建築物ユニット２ｂの張出部３ｂの張出方向Ｄｂと建築物ユニット２ｃの張出部３ｃの張出方向Ｄｃとが直角に交差している。張出部３ｃは、平面視矩形（本実施形態では長方形）を呈しており、建築物ユニット２ｃの正面の幅と同じ幅を有している。そして、建築物ユニット２ｃの張出部３ｃの先端面が、建築物ユニット２ｂの張出部３ｂの左側面（請求項４における「張出部の側面」）およびこれと同じ側となる建築物ユニット２ｂの左側面（請求項４における「張出部の側面と同じ側のユニット側面」）に近接している。また、建築物ユニット２ｂの張出部３ｂの先端を含む鉛直平面が、建築物ユニット２ｃの正面（請求項５における「建築物ユニットのユニット正面」）と交差するようになっている。
【００３１】
張出部３ｃの下方の空間は、通路６ｃとして利用される。通路６ｃは、その一部が建築物ユニット２ｂと建築物ユニット２ｃとで囲まれて区画されている。張出部３ｃは、通路６ｃの屋根を構成するものであって、９００ｍｍ程度の張出寸法を有している。
【００３２】
待機室棟を構成する建築物ユニット２（以下、「建築物ユニット２ｄ」と称する場合がある）は、平面視長方形を呈しており、更衣室棟を構成する建築物ユニット２ｃの正面から見た左側方に隣り合うように、所定の間隔をあけて対向配置されている。また、待機室棟を構成する建築物ユニット２ｄは、守衛室棟を構成する建築物ユニット２ａに対しても隣り合っており、建築物ユニット２ａの正面側に所定の間隔をあけて対向配置されている。建築物ユニット２ｄの左側面と右側面には、窓４ｄ，４ｄと扉５ｄ，５ｄがそれぞれ形成されている。建築物ユニット２ｄの正面には、一地点Ｐおよび建築物ユニット２ｃに向かって延出して張り出す庇状の張出部３ｄが形成されている。すなわち、互いに隣り合う建築物ユニット２ｃの張出部３ｃの張出方向Ｄｃと建築物ユニット２ｄの張出部３ｄの張出方向Ｄｄとが直角に交差している。さらに、建築物ユニット２ｄの張出部３ｄは、その張出方向Ｄｄが、建築物ユニット２ａの張出部３ａの張出方向Ｄａに対しても直角に交差している。
【００３３】
張出部３ｄは、平面視矩形（本実施形態では長方形）を呈しており、建築物ユニット２ｄの正面の幅と同じ幅を有している。そして、建築物ユニット２ｄの張出部３ｄの先端面が、建築物ユニット２ｃの張出部３ｃの左側面（請求項４における「張出部の側面」）および建築物ユニット２ｃの左側面（請求項４における「張出部の側面と同じ側のユニット側面」）に近接している。また、建築物ユニット２ｃの張出部３ｃの先端を含む鉛直平面が、建築物ユニット２ｄの左側面（請求項５における「建築物ユニットのユニット側面」）と同一面上に位置するようになっている。
【００３４】
張出部３ｄの下方の空間は、通路６ｄとして利用される。通路６ｄは、その一部が建築物ユニット２ｃと建築物ユニット２ｄとで囲まれて区画されている。張出部３ｄは、通路６ｃの屋根を構成するものであって、１８００ｍｍ程度の張出寸法を有している。
【００３５】
建築物ユニット２ｄと建築物ユニット２ａとの配置関係においては、建築物ユニット２ａの張出部３ａの先端面が、建築物ユニット２ｄの張出部３ｄの左側面（請求項４における「張出部の側面」）およびこれと同じ側となる建築物ユニット２ｄの左側面（請求項４における「張出部の側面と同じ側のユニット側面」）に近接している。また、建築物ユニット２ｄの張出部３ｄの先端を含む鉛直平面が、建築物ユニット２ａの正面（請求項５における「建築物ユニットのユニット正面」）と交差するようになっている。
【００３６】
以上のように配置された建築物ユニット２ａ，２ｂ，２ｃ，２ｄによれば、各建築物ユニット２の各張出部３の張出方向Ｄａ，Ｄｂ，Ｄｃ，Ｄｄが一地点Ｐを中心として見て同一の回転方向（右回転方向）をそれぞれ向くように、各建築物ユニット２の張出部３が、隣り合う建築物ユニット２に向かってそれぞれ張り出している。
【００３７】
また、各建築物ユニット２ａ，２ｂ，２ｃ，２ｄの張出部３ａ，３ｂ，３ｃ，３ｄの下方にそれぞれ構成される通路６ａ，６ｂ，６ｃ，６ｄは、少なくとも隣り合う通路同士が繋がっているので、全ての通路６ａ，６ｂ，６ｃ，６ｄが一体的に繋がることとなる。
【００３８】
前記したように、建築物ユニット２ａの張出部３ａの先端を含む鉛直平面が、建築物ユニット２ｂの左側面と同一面上で位置するようになっているので、建築物ユニット２ａの張出部３ａの先端面と、建築物ユニット２ｂの左側面が直線状となる。また、建築物ユニット２ｃの張出部３ｃの先端を含む鉛直平面が、建築物ユニット２ｄの左側面と同一面上に位置するようになっているので、建築物ユニット２ｃの張出部３ｃの先端面と、建築物ユニット２ｄの左側面が直線状となる。
【００３９】
一方、前記したように、建築物ユニット２ｂの張出部３ｂの先端を含む鉛直平面が、建築物ユニット２ｃの正面と交差するようになっているので、建築物ユニット２ｂの張出部３ｂの先端を含む鉛直平面およびこれに近接する建築物ユニット２ａの左側面が、図１中、奥側に位置する建築物ユニット２ｃの左側面よりも内側（図１中、右側）に入り込んでオフセットしている。また、建築物ユニット２ｄの張出部３ｄの先端を含む鉛直平面が、建築物ユニット２ａの正面と交差するようになっているので、建築物ユニット２ｄの張出部３ｄの先端を含む鉛直平面およびこれに近接する建築物ユニット２ｃの左側面が、図１中、手前側に位置する建築物ユニット２ａの左側面よりも内側（図１中、左側）に入り込んでオフセットしている。これによって、通路６ｂと通路６ｄは、クランク状に繋がることとなり、建築物ユニット２ｂの張出部３ｂの先端を含む鉛直平面と、建築物ユニット２ｄの張出部３ｄの先端を含む鉛直平面とは、互いにオフセットされ、所定の距離を隔てて平行に配置されることとなる。このような構成によれば、図３に示すように、集合建築物１を裏側（図１中、手前側）から見たときに、通路６ｂの奥に建築物ユニット２ｃの正面の壁が位置することとなり、集合建築物１の奥側後方が見えることはない。これによって、集合建築物１の一体性が高まる。
【００４０】
（建築物ユニットの構成）
次に、各建築物ユニット２の基本構造を説明する。なお、以下の説明では、建築物ユニット２に開口部がないが、壁面に窓や扉を適宜設けることによって、各建築物ユニット２ａ，２ｂ，２ｃ，２ｄ（図１参照）が形成される。
【００４１】
図６に示すように、建築物ユニット２は、複数の板状構成材１０，２０をその幅方向に連接して構成されている。板状構成材１０は、壁面Ｗ，Ｗ’を構成するものであって、板状構成材２０は、屋根面Ｒを構成するものである。なお、本実施形態では、板状構成材を床として利用していないが、床を構成するようにしてもよいのは勿論である。壁面Ｗ，Ｗ’は、複数の長尺の板状構成材１０（以下、「壁構成材１０」という場合がある）をその幅方向に隙間なく連接して構成したものであり、屋根面Ｒは、複数の長尺の板状構成材２０（以下、「屋根構成材２０」という場合がある）をその幅方向に隙間なく連接して構成したものである。なお、本実施形態では、壁面Ｗの壁構成材１０と屋根面Ｒの屋根構成材２０を連接する方向を「奥行方向」とし、壁面Ｗ’の壁構成材１０の連接方向を「間口方向」とする。
【００４２】
本実施形態においては、建築物ユニット２は、図７乃至図９に示すように、奥行方向に延びて互いに平行に対向して配置された一対の壁面Ｗ，Ｗと、この壁面Ｗ，Ｗに直交する間口方向に延びる壁面Ｗ’，Ｗ’とを備えている。壁面Ｗ，Ｗを構成する壁構成材１０，１０間に屋根構成材２０が架け渡されている。具体的には、屋根構成材２０の長手方向一端に、壁構成材１０が直交してその上端が連結され、屋根構成材２０の他端から所定距離あけた位置に、壁構成材１０が直交してその上端が連結されている。すなわち、屋根構成材２０は、一対の壁構成材１０，１０に支持され、奥行方向から見て屋根構成材２０の片側が側方に延出した形状になっている。そして、この延出した部分が張出部３を構成している。なお、建築物ユニット２ａ（図１参照）においては、屋根構成材２０の両端が、壁面Ｗ，Ｗよりも外側に張り出して、張出部３ａ，３’ａを構成するようになっている。
【００４３】
すなわち、本実施形態に係る建築物ユニット２は、図２および図６に示すように、直方体を基調とした建物であって、屋根面Ｒが、壁面Ｗ，Ｗ上で間口方向の一方向（建築物ユニット２ａでは両方向）に延出して形成されて張出部３を構成している。すなわち、建築物ユニット２の張出部３は、建築物ユニット２の屋根面Ｒ（屋根）を構成する板状構成材２０をその延長方向（図１に示した張出方向Ｄａ〜Ｄｄと同方向）に延出させて、屋根面Ｒと一体に形成されている（図７参照）。
【００４４】
図６に示すように、壁面Ｗ，Ｗの下部には、土台３０，３０が配設され、壁面Ｗ’，Ｗ’の下部には、土台３０’，３０’が配設されている。各土台３０，３０’の上部に壁構成材１０がそれぞれ固定されるようになっている。
【００４５】
図６、図８および図９に示すように、壁面Ｗの幅方向（奥行方向）中央部には、補剛柱３５が位置している。補剛柱３５は、壁構成材１０の継手部分を一対の補剛材５０ａ，５０ｂ（図１０乃至図１２参照）で挟み込むことによって補剛して構成されている。
【００４６】
図６に示すように、補剛柱３５は、土台３０の上面に立設され、互いに対向する壁面Ｗ，Ｗの内面に沿って、それぞれ設けられている。補剛柱３５，３５の頂部３５ａ，３５ａ間には、棒状構造体である梁材１００が架け渡されている（図６および図８参照）。一方、土台３０’の長手方向両端部近傍の上面には、柱材１１０，１１１がそれぞれ立設されている。柱材１１０，１１１は、互いに対向する壁面Ｗ’，Ｗ’の内面に沿って、それぞれ設けられている。柱材１１０，１１１は、補剛柱３５と略同等の高さを有しており、その頂部１１０ａ，１１１ａには、梁材１００の側面に向かって延出する小梁材１２０がそれぞれ連結されている。また、同じ土台３０’上に設けられた柱材１１０，１１１の頂部１１０ａ，１１１ａ間には、大梁材１３０が架け渡されている（図６および図８参照）。
【００４７】
なお、図６に示した建築物ユニット２の構成は、一例であって、壁構成材１０や屋根構成材２０にて必要な強度が得られる場合には、補剛柱３５、梁材１００や小梁材１２０を省略することが可能である。
【００４８】
（板状構成材）
図１０乃至図１２に示すように、壁構成材（板状構成材）１０は、複数連接されることで壁面Ｗを構成する。壁構成材（板状構成材）１０は、建築物ユニット２（図６参照）の外壁面を構成する外殻板１１と、この外殻板１１の幅方向両端にそれぞれ長手方向に沿って設けられたリブ状の継手板１２，１２とを備えて構成されている。壁構成材１０は、その長手方向を押出方向とするアルミニウムまたはアルミニウム合金製の押出形材にて構成されている。
【００４９】
外殻板１１は、上下方向に長い長方形を呈している。外殻板１１の幅方向両端に位置する一対の継手板１２，１２は、それぞれ外殻板１１に対して垂直に形成されており、建築物ユニット２の室内側に延出している。継手板１２，１２の外側面（隣接する他の壁構成材１０と当接する面）には、長手方向（上下方向）に沿って凹溝１３，１３（図１０参照）がそれぞれ形成されている。一の壁構成材１０の継手板１２を、他の壁構成材１０の継手板１２に突き合わせたときに、一の壁構成材１０の継手板１２の凹溝１３と、他の壁構成材１０の継手板１２の凹溝１３とが互いに向かい合い、シール材収容空間を構成する。
【００５０】
図１３および図１５に示すように、継手板１２の上端には、屋根構成材２０と壁構成材１０を接続するとともに、隣り合う壁構成材１０，１０同士を接続するためのボルトＢが挿通するボルト貫通孔１４が複数（本実施形態では二箇所）形成されている。一方、図１４に示すように、継手板１２の下端には、土台３０と壁構成材１０とを接続するとともに、隣り合う壁構成材１０，１０同士を接続するためのボルトＢが挿通するボルト貫通孔１４が複数（本実施形態では二箇所）形成されている。これら上下のボルト貫通孔１４は、それぞれ上下方向に所定の間隔をあけて形成されている。
【００５１】
図１０乃至図１２に示すように、継手板１２，１２には、その先端にそれぞれ内側に折り曲がった折曲部１２ａ，１２ａが形成されている。折曲部１２ａ，１２ａは、継手板１２，１２の長手方向全長に亘って形成されている。また、折曲部１２ａ，１２ａは、継手板１２，１２に対してそれぞれ垂直に形成されており、外殻板１１と平行となっている。折曲部１２ａ，１２ａは、内装材等を取り付ける際に利用されるとともに、壁構成材１０の断面性能を向上させる機能も備える。さらに、壁構成材１０を押出形材で形成する際に、折曲部１２ａ，１２ａによって当該押出形材の押出精度が向上するという利点もある。
【００５２】
図１５に示すように、屋根構成材２０は、壁構成材１０と同様の断面形状を呈しており、外殻板２１、継手板２２，２２を有している。継手板２２の先端には、折曲部２２ａが形成されている。なお、外殻板２１、継手板２２，２２は、壁構成材１０の外殻板１１、継手板１２，１２と同様の構成であるので説明を省略する。
【００５３】
（補剛材）
図１０乃至図１２に示すように、本実施形態では、互いに隣接する壁構成材１０，１０の継手部分のうち、梁材１００が連結される位置（壁面Ｗの奥行方向中央部）の継手板１２，１２同士が、一対の補剛材５０ａ，５０ｂ（以下、補剛材５０ａと補剛材５０ｂとを区別しない場合は単に「補剛材５０」と記載する場合がある）によって挟持されて接合されている。一対の補剛材５０ａ，５０ｂは、互いに壁構成材１０，１０の継手板１２，１２同士の接合面を中心とした面対称形状を呈している。ここで、隣り合う継手板１２，１２を、補剛材５０ａ，５０ｂで挟持して補剛した部分を補剛柱３５と称する。
【００５４】
補剛材５０は、継手板１２に沿う長尺部材からなり、その長手方向を押出方向とするアルミニウムまたはアルミニウム合金製の押出形材にて構成されている。図１０に示すように、補剛材５０は、壁構成材１０の厚さ寸法の２〜３倍の厚さ寸法を有している。補剛材５０は、外殻板１１と継手板１２の内表面に沿うように形成されており、外殻板１１の内表面に接触する外殻板接触部５１と、継手板１２の内表面に接触する継手板接触部５２とを一体的に備えている。外殻板接触部５１と継手板接触部５２とは互いに直角に交差している。継手板接触部５２には、継手板１２のボルト貫通孔１４に相当する位置に、ボルト貫通孔５２ａが複数形成されている。
【００５５】
図１０に示すように、継手板接触部５２の先端には、外殻板１１の幅方向内側に折り曲がった折曲部５３が形成されている。折曲部５３は、継手板１２の折曲部１２ａとの干渉を防止すべく形成されており、その先端には、室内側に折り曲がって外殻板１１の幅方向外側に折り返した折返部５４が形成されている。折返部５４は、折曲部５３と併せて、継手板１２の折曲部１２ａの先端部分を覆うようになっている。
【００５６】
図１０および図１３に示すように、折返部５４の先端には、室内側に折り曲がって突出する突設部５５が形成されている。突設部５５は、梁材１００を固定するための部分であって、補剛材５０の上端部に形成されている。突設部５５は、その外側（外殻板１１の幅方向外側）表面が、梁材１００の後述するウェブ１０２の表面に当接するように構成されており、ウェブ１０２の高さ寸法と同等の高さ寸法を有している。突設部５５には、梁材１００を固定するためのボルトＢが挿通するボルト貫通孔５５ａが複数（本実施形態では上下左右に並列して四箇所）形成されている。突設部５５は、押出時に折返部５４の先端に形成された突設部５５と同形状の延出部の先端側下部を切除することで、押出形材の上端に形成される。
【００５７】
図１１乃至図１３に示すように、突設部５５の下方で、切除された部分の残部５６は、補剛材５０の長手方向に沿ってリブの役目を果たし、補剛材５０の補剛性能を向上させている。残部５６は、その先端が、土台３０の室内側端面よりも、室内側に突出しないようになっており、内装材等との干渉を防止するようになっている。
【００５８】
なお、補剛材５０によって、充分な強度を確保できる場合には、壁構成材１０や屋根構成材２０を切除して、窓等（例えば図２の窓４ａ参照）の開口部を設けてもよい。さらに、壁構成材１０や屋根構成材２０を切除するだけでなく、壁構成材１０や屋根構成材２０自体を窓枠等と入れ替えて、例えば、縦長の大面積の開口部を形成することも可能である。
【００５９】
図１０および図１３に示すように、突設部５５に固定される梁材（棒状構造体）１００は、アルミニウムまたはアルミニウム合金製の押出形材からなり、上下方向に所定の間隔をあけて対向する一対のフランジ１０１，１０１と、各フランジ１０１，１０１間に介在する左右一対のウェブ１０２，１０２とを備えて構成されている。ウェブ１０２，１０２は、所定の間隔をあけて形成されており、内側に中空部１０３が形成されている。ウェブ１０２，１０２の適所には、複数のボルト貫通孔１０４，１０４・・・が形成されている。
【００６０】
小梁材（棒状構造体）１２０は、梁材１００と同様の断面形状を呈しており、一対のフランジ１２１，１２１と、各フランジ１２１，１２１間に介在する左右一対のウェブ１２２，１２２とを備えて構成されている。フランジ１２１、ウェブ１２２は、梁材１００のフランジ１０１、ウェブ１０２と、それぞれ同様の構成であり、ウェブ１２２，１２２間に中空部１２３を備え、ウェブ１２２，１２２の適所に複数のボルト貫通孔１２４，１２４・・・が形成されている。
【００６１】
また、大梁材１３０（棒状構造体）および柱材（棒状構造体）１１０，１１１も、梁材１００と同様の断面形状を呈しているので詳細な説明を省略する。
【００６２】
さらに、図１４に示すように、土台３０（棒状構造体）は、梁材１００と同様の断面形状を呈しており、一対のフランジ３１，３１と、各フランジ３１，３１間に介在する左右一対のウェブ３２，３２とを備えて構成されている。さらに、ウェブ３２，３２間に中空部３３を備え、上側のフランジ３１の適所に複数のボルト貫通孔３４，３４・・・が形成されている。
【００６３】
（土台と壁構成材との固定構造）
図１４に示すように、壁構成材１０は、基礎・壁固定用ブラケット６０を介設して、ボルトＢ・ナットＮで螺合することで、土台３０上に固定されている。基礎・壁固定用ブラケット６０は、土台３０のフランジ３１の上面に当接する土台接触部６１と、壁構成材１０の継手板１２の内側面あるいは補剛材５０の継手板接触部５２の内側面に当接する壁接触部６２とを備えて構成されている。土台接触部６１は、土台３０のフランジ３１の幅寸法と略同等の幅寸法を有しており、ボルト貫通孔６１ａが複数形成されている。ボルト貫通孔６１ａは、本実施形態では室内側に二箇所、室外側に一箇所の三箇所に形成されており、室外側のボルト貫通孔６１ａが二等辺三角形の頂点に位置するように配置されている。壁接触部６２は、土台接触部６１の端部から直交して立ち上がって一体的に形成されており、複数のボルト貫通孔６２ａが形成されている。ボルト貫通孔６２ａは、本実施形態では上下方向に二箇所形成されている。補剛材５０が設けられていない部分の基礎・壁固定用ブラケット６０では、壁接触部６２は壁構成材１０の継手板１２の内側面に直接当接し、補剛材５０が設けられている部分の基礎・壁固定用ブラケット６０では、壁接触部６２は補剛材５０の継手板接触部５２の内側面に当接する。
【００６４】
ところで、補剛材５０が設けられる部分では、補剛材５０ａ，５０ｂの両側に、面対称に形成された基礎・壁固定用ブラケット６０，６０が、補剛材５０ａ，５０ｂを両側から挟持するように配置されている。一方、補剛材５０が設けられない部分では、基礎・壁固定用ブラケット６０が、継手部分の片側のみに設けられている。
【００６５】
ところで、壁構成材１０の下端部は、継手板１２，１２が所定の高さで切除されている。すなわち、外殻板１１の下端部が、土台３０の上端面より下部に延出する垂下部１１ａを構成することとなり、この垂下部１１ａが、水切り板の役目を果たすこととなる。これによって、建物Ｔ内部への雨水等の浸入を防止することができる。
【００６６】
（補剛材と梁材との固定構造）
図１０および図１３に示すように、補剛材５０ａ，５０ｂの上端の突設部５５が、一対のウェブ１０２，１０２を、梁材１００の幅方向両側から挟み込んで、ボルトＢ・ナットＮで締め付けることで、梁材１００が補剛材５０ａ，５０ｂに固定されている。
【００６７】
（梁材、柱材と小梁材との固定構造）
図８に示すように、土台３０’上に立設された柱材１１０，１１１と、梁材１００との間には、小梁材１２０が架け渡されて設けられている。
【００６８】
図１０および図１３に示すように、梁材１００と小梁材１２０は、断面Ｌ字状の梁・小梁固定用ブラケット７５を介設して、ボルトＢ・ナットＮで締め付けることで、互いに固定されている。梁・小梁固定用ブラケット７５は、梁材１００のウェブ１０２の側面に当接する梁接触部７６と、小梁材１２０のウェブ１２２，１２２間の中空部１２３に挿入されてウェブ１２２の内側面に接触する小梁接触部７７とを備えて構成されている。梁接触部７６は、梁材１００のウェブ１０２の高さ寸法と同等の高さ寸法を有しており、複数のボルト貫通孔７６ａが形成されている。ボルト貫通孔７６ａは、梁材１００のウェブ１０２に形成されたボルト貫通孔１０４の位置に相当するように、上下左右の四箇所に形成されている。小梁接触部７７は、梁接触部７６の端部から直交して立ち上がって一体的に形成されており、複数のボルト貫通孔７７ａが形成されている。ボルト貫通孔７７ａは、小梁材１２０のウェブ１２２に形成されたボルト貫通孔１２４の位置に相当するように、上下左右の四箇所に形成されている。
【００６９】
梁・小梁固定用ブラケット７５は、二枚一組で用いられるようになっており、小梁接触部７７，７７が互いに平行になるように配置され、間にプレート７８を挟みこんで一体的に断面Ｔ字状を呈するようになっている。各小梁接触部７７，７７は、小梁材１２０の各ウェブ１２２，１２２の内側面にそれぞれ当接するように、ウェブ１２２，１２２間の距離に応じて、プレート７８の厚さが決定される。
【００７０】
（壁構成材と屋根構成材との固定構造）
図１５に示すように、屋根構成材２０の長手方向一端部には、壁構成材１０の上端部が接続されている。壁構成材１０の外殻板１１および継手板１２は、屋根構成材２０の外殻板２１の近傍まで延出して構成されている。折曲部１２ａは、その上端部が屋根構成材２０の継手板２２の下端に相当する位置まで切除されている。継手板１２の上部に形成されているボルト貫通孔１４，１４は、上下方向に所定の間隔をあけて二箇所に配置されている。
【００７１】
一方、屋根構成材２０の外殻板２１は、壁構成材１０の外殻板１１の水平位置まで延出して構成されており、継手板２２は、壁構成材１０の継手板１２の先端に相当する位置まで折曲部２２ａと合わせて先端部が切除されており、壁構成材１０の継手板１２との干渉を防いでいる。継手板２２の切除された残りの先端部には、ボルト貫通孔２４，２４が水平方向に所定の間隔をあけて二箇所に形成されている。
【００７２】
屋根構成材２０と壁構成材１０は、壁・屋根固定用ブラケット８５を介設して、ボルトＢ・ナットＮで締め付けることで、互いに固定されている。壁・屋根固定用ブラケット８５は、平面Ｌ字状を呈した形状に形成されており、壁構成材１０の継手板１２に接触する壁接触部８６と、屋根構成材２０の継手板２２に接触する屋根接触部８７とを備えて構成されている。壁接触部８６には、継手板１２のボルト貫通孔１４，１４に相当する位置にボルト貫通孔８６ａ，８６ａ（図１５の（ａ）参照）が形成されており、屋根接触部８７には、継手板２２のボルト貫通孔２４，２４に相当する位置にボルト貫通孔８７ａ，８７ａ（図１５の（ａ）参照）が形成されている。
【００７３】
図１５の（ｂ）に示すように、壁構成材１０の上端の屋根構成材２０との隙間にはシール材１５が介設されており、壁構成材１０と屋根構成材２０との接合出隅部分１６には、破風部材１７が設けられている。破風部材１７は、屋根構成材２０の外殻板２１の上面に当接する係止部１８と、係止部１８の先端から折り曲がって形成された垂下部１９とを備えて構成されている。係止部１８の下面には凸条１８ａが形成されており、凸条１８ａが外殻板２１の端部に当接することで、破風部材１７を、屋根構成材２０に取り付けるときに位置決めガイドの役目を果たす。破風部材１７は、所定ピッチで設けられたビスＶ等で屋根構成材２０の外殻板２１に固定されている。
【００７４】
（張出部の屋根構成材と壁構成材との固定構造）
図１６に示すように、屋根構成材２０の長手方向他端から所定距離あけた位置（張出部３の基端部）には、壁構成材１０の上端部が接続されている。壁構成材１０の外殻板１１および継手板１２は、屋根構成材２０の継手板２２の下端部に当接するように構成されている。継手板１２の上部に形成されているボルト貫通孔１４，１４は、上下方向に所定の間隔をあけて二箇所に配置されている。
【００７５】
一方、屋根構成材２０の継手板２２先端の折曲部２２ａは、壁構成材１０の継手板１２に相当する部分が切除されている。
【００７６】
張出部３の基端部における屋根構成材２０と壁構成材１０は、第二の壁・屋根固定用ブラケット９０を介設して、ボルトＢ・ナットＮで締め付けることで、互いに固定されている。第二の壁・屋根固定用ブラケット９０は、平面Ｌ字状を呈した形状に形成されており、壁構成材１０の継手板１２に接触する壁接触部９１と、屋根構成材２０の継手板２２に接触する屋根接触部９２とを備えて構成されている。壁接触部９１には、継手板１２のボルト貫通孔１４，１４に相当する位置にボルト貫通孔（図示せず）が形成されており、屋根接触部９２には、継手板２２のボルト貫通孔２４，２４に相当する位置にボルト貫通孔（図示せず）が形成されている。
【００７７】
図１７に示すように、張出部３の先端部には、屋根構成材２０の長手方向端部の開口部分を覆う破風部材１７が設けられている。破風部材１７は、壁構成材１０と屋根構成材２０との接合出隅部分１６に設けられているもの（図１５の（ｂ）参照）と同じ部材であるので、同じ符号を付して説明を省略する。
【００７８】
また、張出部３の屋根構成材２０の下部には軒天板２７が貼り付けられている。軒天板２７は、屋根構成材２０の継手板２２先端（下端）の折曲部２２ａに当接してビス（図示せず）等で固定されている。
【００７９】
以上のような構成の建築物ユニット２を組み合わせてなる集合建築物１では、図４および図５に示すように、張出部３ａ，３ｂ，３ｃ，３ｄの先端には、雨樋７ａ，７ｂ，７ｃ，７ｄ（以下、単に「雨樋７」と称する場合がある）がそれぞれ設けられている。雨樋７は、例えば、公知の塩化ビニル樹脂製のもの、ステンレス製のもの、あるいはアルミニウムまたはアルミニウム合金製の押出形材にて構成されたものが用いられている。本実施形態では、デザインの統一性を高めるために、雨樋７に、ステンレス製のもの、あるいはアルミニウムまたはアルミニウム合金製の押出形材にて構成されたものを採用するのが好ましい。雨樋７は、破風部材１７（図１７参照）の先端下部を下方から覆うように取り付けられている。雨樋７は、各張出部３の先端面が近接して対向する建築物ユニット２の壁面Ｗおよび張出部３の側面に設けられた破風部材（図示せず）の先端下部も下方から覆うように構成されており、建築物ユニット２間の隙間を覆うようになっている。これによって、一方の張出部３から流れてきた雨水だけでなく、反対側の屋根面Ｒから流れてきた雨水も、雨樋７ａ，７ｃで受けることができるので、通路６ａ，６ｂ，６ｃ，６ｄに雨水が落下するのを防止できる。
【００８０】
本実施形態の集合建築物１では、各建築物ユニット２の屋根面Ｒは、図５中、上下方向の中間部に向かって水勾配（図４および図５中、矢印Ａにて示す）が設定されている。すなわち、建築物ユニット２ａの張出部３ａの先端の雨樋７ａおよび建築物ユニット２ｃの張出部３ｃの先端の雨樋７ｃに向かって雨水が流れるように構成されている。雨樋７ａは図５中、左側（建築物ユニット２ａの右側面側）が低くなるように設置され、雨樋７ｃは図５中、右側（建築物ユニット２ｃの右側面側）が低くなるように設置されており、雨樋７ａ，７ｃに流れた雨水を左右両側へ流すように構成されている（図５中、矢印Ａ’にて示す）。雨樋７ａの水下端部と、雨樋７ｃの水下端部には、それぞれ縦樋８（図５参照）が接続されている。なお、雨樋７ｂの水下となる端部（建築物ユニット２ｂの左側面側端部）は、接続用の樋（図示せず）を用いて雨樋７ｃに接続されている。一方、雨樋７ｄの水下となる端部（建築物ユニット２ｄの左側面側端部）は、接続用の樋（図示せず）を用いて雨樋７ａに接続されている。
【００８１】
以上のような構成の集合建築物１によれば、建築物ユニット２に一体で形成された庇状の張出部３を利用して通路６ａ〜６ｄを形成しているので、従来のように別途に通路の屋根を設けなくてよく、その結果、建築コストを抑えることができる。また、建築物ユニット２に一体で形成されている張出部３が通路６ａ〜６ｄの屋根を構成するので、外観の一体性を損なうことがない。したがって、複数の建築物ユニット２で、集合建築物１の全体としてのデザインの統一感を表すことができる。
【００８２】
特に、本実施形態では、建築物ユニット２の張出部３が、屋根面Ｒを構成する板状構成材２０を張出方向Ｄａ〜Ｄｄにそれぞれ延出することで屋根面Ｒと一体に形成されている。これによって、張出部３の強度を高めることができるとともに、張出部３を別途に形成する場合と比較して施工が容易になり、建築コストが大幅に低減する。また、建築物ユニット２の幅寸法と同等の幅を有する広い面積の張出部３を容易に形成することができる。さらに、建築物ユニット２ごとの外観の一体性を大幅に高めることができ、集合建築物１の美観を向上できる。
【００８３】
また、かかる集合建築物１によれば、張出部３の下方に各建築物ユニット２を繋ぐ一体的な通路６が形成されるので、この通路６が中廊下の役目を果たし、風雨時であっても建築物ユニット２間の往来が容易になる。本実施形態では、建築物ユニット２ａ，２ｂ，２ｃ，２ｄの扉５ａ，５ｂ，５ｃ，５ｄがそれぞれ通路６ａ〜６ｄに向かって開口するように形成されているので、全ての建築物ユニット２ａ，２ｂ，２ｃ，２ｄ間を相互に往来することができる。さらに、張出部３の先端面に雨樋７をそれぞれ設けたことによって、通路６ａ〜６ｄに雨が降り注ぐのを効率的に防止でき、その結果、通路６ａ〜６ｄが濡れるのも防止できる。
【００８４】
かかる集合建築物１によれば、建築物ユニット２の棟数が４棟であるので、各建築物ユニット２の配置を容易に行える。また、張出部３が平面視矩形に形成されているので、特殊な加工をする必要がなく、通常の容易な施工で建築物ユニット２を構築できる。さらに、隣り合う建築物ユニット２，２の張出部３，３の張出方向同士が互いに直角に交差するように構成されているので、張出部３と隣接する建築物ユニット２とのクリアランスを一定にすることができる。これによって、張出部３と隣接する建築物ユニット２間に雨樋７を容易に取り付けることができる。
【００８５】
また、本実施形態の集合建築物１によれば、隣り合う建築物ユニット２，２の一方の建築物ユニット２の張出部３の先端面が他方の建築物ユニット２の張出部３の側面およびこの側面と同じ側のユニット側面に近接するように構成されているので、全ての張出部３が少なくとも隣り合う張出部３同士で近接することになる。したがって、少なくとも隣り合う通路６同士が接続されるため、全ての建築物ユニット２を繋ぐ通路６が形成される。よって、風雨時における建築物ユニット２間の往来が容易になる。
【００８６】
さらに、本実施形態の集合建築物１によれば、建築物ユニット２ｂの張出部３ｂの先端を含む鉛直平面が、建築物ユニット２ｃの正面と交差するようになっているので、建築物ユニット２ｂの張出部３ｂの先端を含む鉛直平面およびこれに近接する建築物ユニット２ａの左側面が、奥側に位置する建築物ユニット２ｃの左側面よりも内側（図１中、右側）に入り込んでオフセットすることとなる。これによって、集合建築物１を図１中、手前側から見たときに、通路６ｂの奥に建築物ユニット２ｃの正面の壁が位置することとなり、集合建築物１の奥側後方が見えることはない。したがって、見る者に、複数の建築物ユニットがあたかも一つの建築物であるような印象を与えるので、外観の一体性を大幅に高めることができ、複数の建築物ユニット２で全体としてのデザインの統一感が増す。
【００８７】
また、建築物ユニット２ｄの張出部３ｄの先端を含む鉛直平面が、建築物ユニット２ａの正面と交差するようになっているので、建築物ユニット２ｄの張出部３ｄの先端を含む鉛直平面およびこれに近接する建築物ユニット２ｃの左側面が、建築物ユニット２ａの左側面よりも内側（図１中、左側）に入り込んでオフセットしている。したがって、集合建築物１を図１中、奥側から見た場合であっても、集合建築物１の手前側前方が見えることはなく、外観の一体性が高まる。
【００８８】
また、各建築物ユニット２をこのような配置にしたことによって、通路６ｂと通路６ｄは、クランク状に繋がることとなり、風の流れを抑えることができ、通路６内の強風を低減することができる。さらには、雨樋７ｂ，７ｄもクランク状に配置されることになるので、雨樋７ａ，７ｂ，７ｃ，７ｄが一箇所にまとまって接続されることがなく、接続部の納まりが簡素化される。したがって、雨樋７の施工を容易に行うことができるとともに、各雨樋７の雨水が一箇所に集中することがないので通路６への漏れを防止することができる。
【００８９】
また、本実施形態では、複数の板状構成材１０，２０をその幅方向に連接して壁面Ｗ，Ｗ’および屋根面Ｒが構成して、建築物ユニット２を形成している。すなわち、板状構成材１０，２０がその幅方向に隙間なく並べられているので、板状構成材１０，２０が外装材を兼ねることができるとともに、ストライプ状のラインが入った斬新なデザインの建築物ユニット２を容易に構築することが可能となる。
【００９０】
さらに、板状構成材１０，２０は、アルミニウムまたはアルミニウム合金製の押出形材によって構成されているので、押出形材を適宜な長さ・角度で切断するだけで製造することができ、加工生産が容易である。さらに、アルミニウムまたはアルミニウム合金製の押出形材は、寸法精度が高く、また、剛性の割に軽いので、現場での取り回しが容易になるとともに、建築物ユニット２自体の重量も軽減することができ、耐震性も向上する。さらに、この建築物ユニット２は、アルミニウムの持つ質感を生かした優れた外観を得られる。また、アルミニウムまたはアルミニウム合金は、白蟻の食害を受けることがなく、雨水や湿気により腐食することもないので、供用後の維持管理費用を大幅に削減することができる。
【００９１】
また、本実施形態の建築物ユニット２によれば、一対の補剛材５０ａ，５０ｂで互いに隣接する壁構成材１０のリブ状の継手板１２を挟持するという簡単な工程だけで、剛性の高い壁面Ｗを容易に組み立てることができる。特に、この構成は、建築物ユニット２ａの受付の窓４ａのように大きい開口部を有する場合に有効である。具体的には、壁構成材（板状構成材）１０がない部分であっても、窓４ａの縦枠部分に、補剛材５０のみを柱の機能を持たせて設けることができるので、必要な強度を確保することができる。
【００９２】
以上、本発明の実施形態について説明したが、本発明は、前記した各実施形態に限定されるものではなく、適宜変更して実施することができる。例えば、本実施形態では、建築物ユニット４が４棟設けられ、図１に示すような配置および平面プランとしているが、これに限られるものではない。すなわち、２，３棟あるいは５棟以上の建築物ユニットを適宜配列してもよく、例えば、図１に示した平面プランの通路６の上部の張出部３の一端部（例えば、図１中、建築物ユニット２ｃの張出部３ｃの右側面側）に近接する張出部を有する建築物ユニット（図示せず）を新たに設けるようにしてもよい。さらに、建築物ユニットは、平面視矩形に限定されるものでもない。
【００９３】
また、本実施形態では、複数の板状構成材１０，２０をその幅方向に連接して壁面Ｗ，Ｗ’および屋根面Ｒが構成された建築物ユニット２を用いているが、建築物ユニットの構造は、これに限定されるものではない。すなわち、通常の庇付きのユニットであっても、各建築物ユニットを適宜配置すれば、本発明を適用可能であるのは勿論である。
【図面の簡単な説明】
【００９４】
【図１】本発明に係る集合建築物を示した平面図である。
【図２】本発明に係る集合建築物を示した斜視図である。
【図３】本発明に係る集合建築物を示した正面図である。
【図４】本発明に係る集合建築物を示した断面図である。
【図５】本発明に係る集合建築物を示した屋根伏図である。
【図６】本発明に係る建築物ユニットを示した分解斜視図である。
【図７】本発明に係る建築物ユニットを示した屋根伏図である。
【図８】本発明に係る建築物ユニットの梁部分を示した水平方向断面図である。
【図９】本発明に係る建築物ユニットの壁構成材部分を示した水平方向断面図である。
【図１０】壁構成材と補剛材と梁材との連結構造を示した断面図である。
【図１１】壁構成材と補剛材との連結構造を示した断面図である。
【図１２】壁構成材と補剛材と土台との連結構造を示した断面図である。
【図１３】壁構成材と補剛材と梁材との連結構造を示した一部分解斜視図である。
【図１４】壁構成材と土台との連結構造を示した一部分解斜視図である。
【図１５】屋根構成材と壁構成材との連結構造を示した図であって、（ａ）は一部破断斜視図、（ｂ）は側面図である。
【図１６】張出部の基端部の屋根構成材と壁構成材との連結構造を示した図であって、（ａ）は一部破断斜視図、（ｂ）は断面図である。
【図１７】張出部の先端部の屋根構成材を示した図であって、（ａ）は斜視図、（ｂ）は側面図である。
【符号の説明】
【００９５】
１      集合建築物
２      建築物ユニット
３      張出部
６      通路
７      雨樋
１０    壁構成材
２０    屋根構成材
Ｗ      壁面
Ｒ      屋根面
Ｄ      張出方向
Ｐ      一地点
【図１】
2010043443.tif 000003
【図２】
2010043443.tif 000004
【図３】
2010043443.tif 000005
【図４】
2010043443.tif 000006
【図５】
2010043443.tif 000007
【図６】
2010043443.tif 000008
【図７】
2010043443.tif 000009
【図８】
2010043443.tif 000010
【図９】
2010043443.tif 000011
【図１０】
2010043443.tif 000012
【図１１】
2010043443.tif 000013
【図１２】
2010043443.tif 000014
【図１３】
2010043443.tif 000015
【図１４】
2010043443.tif 000016
【図１５】
2010043443.tif 000017
【図１６】
2010043443.tif 000018
【図１７】
2010043443.tif 000019